(57)【要約】【課題】  エージング時にＸ線管から照射されたＸ線がＸ線検出器に入射することを確実に防止して、Ｘ線検出器の感度低下を生じさせることがないＸ線透視撮影台を提供する。【解決手段】  エージングを実行するときには、オペレータが操作部３９を操作することにより、制御部３０に対してエージングの指示を行う。このときには、制御部３０の制御によりモータ２６が駆動され、Ｘ線検出器１４が支持部材とともに側方へ退避する。これにより、Ｘ線管１２とＸ線検出器１４とが、互いに対向しない位置に配置される。この状態において、エージング制御部３８によりＸ線管１２に対するエージングが実行される。【選択図】        図４
2015150054.tif 000002
【特許請求の範囲】
【請求項１】
天板と、前記天板の前面に配置された被検者に対してＸ線を照射するＸ線管と、前記Ｘ線管から照射され前記被検者を通過したＸ線を検出するＸ線検出器とを備えたＸ線透視撮影台であって、
前記Ｘ線管を前記天板の表面に沿って移動させるＸ線管移動機構と、
前記Ｘ線検出器を前記天板の表面に沿って移動させるＸ線検出器移動機構と、
前記Ｘ線管に対してエージングを実行する指示を行うための操作部と、
前記操作部に対してエージングを実行する指示がなされたときに、前記Ｘ線管移動機構または前記Ｘ線検出器移動機構の駆動で前記Ｘ線管または前記Ｘ線検出器の少なくとも一方を移動させることにより、前記Ｘ線管と前記Ｘ線検出器とを互いに対向しない位置に配置させる制御部と、
を備えたことを特徴とするＸ線透視撮影台。
【請求項２】
請求項１に記載のＸ線透視撮影台において、
前記操作部に対してエージングを実行する指示がなされたときに、前記Ｘ線管または前記Ｘ線検出器のうち、前記天板の下方に配置されたものを移動させるＸ線透視撮影台。
【発明の詳細な説明】
【技術分野】
【０００１】
この発明は、Ｘ線透視またはＸ線撮影を実行するためのＸ線透視撮影台に関する。
【背景技術】
【０００２】
このようなＸ線透視撮影台は、天板と、天板の前面に配置された被検者に対してＸ線を照射するＸ線管と、Ｘ線管から照射され被検者を通過したＸ線を検出するＸ線検出器とを備える。このＸ線透視撮影台でＸ線透視またはＸ線撮影を行うときには、被検者を天板の前面に配置（臥位撮影のときは被検者が天板の上面に横臥または仰臥し、立位撮影のときは被検者が天板の前面に起立する）した状態でＸ線管とＸ線検出器を対向配置し、Ｘ線管から照射されたＸ線をＸ線検出器により検出するようにしている。
【０００３】
ところで、Ｘ線撮影装置においては、Ｘ線管の性能を維持するために、エージングを実行する必要がある。このエージングは、Ｘ線管を始めて使用するとき、Ｘ線管をある期間使用せず再び使用を始めるとき、あるいは、毎日の始業時に行なう、一連の慣らし通電のことである。
【０００４】
Ｘ線管は一定時間使用しないと内部状態が変化し、例えば、最高使用電圧が１５０ｋＶのＸ線管であっても、数１０ｋＶの電圧にしか耐え得ないような状態になる場合がある。このような状態でいきなり高い電圧を加えると過電圧と同じ現象となり、Ｘ線管に損傷を与える可能性がある。このため、最初に低い電圧を加え、その後、徐々に電圧を上昇させ、定格値の正常な状態となった後一定時間経過後に電圧を下げる。電圧の上昇途中で管電流が不安定になる等の異常現象が起きれば、異常の収まる点まで電圧を下げ、安定するまで待って再び電圧を上げる。このようなエージングを実行することにより、Ｘ線管を安定した状態で使用することが可能となる。
【０００５】
ところで、Ｘ線管を始めて使用するときやＸ線管をある期間使用せず再び使用を始めるときにサービスエンジニアが実行するエージングは、Ｘ線管から比較的大きな線量のＸ線が長時間Ｘ線検出器に入射することになる。このような場合には、Ｘ線検出器の感度低下が発生し、その後の調整に悪影響を及ぼす。また、ユーザが始業時に実行するエージング時においては、Ｘ線検出器に入射するＸ線は少量ではあるが、やはり、Ｘ線検出器の感度低下を生ずる。
【０００６】
このため、特許文献１には、Ｘ線管のエージングのためのＸ線条件をプリセットすることが可能な操作パネルを備えたＸ線高電圧装置において、Ｘ線管のエージングのためのＸ線条件を設定する信号でＸ線管の放射口に取り付けられたコリメータの絞りが自動的に閉じる制御回路を設けたＸ線高電圧装置が開示されている。
【０００７】
この特許文献１に記載されたＸ線高電圧装置によれば、Ｘ線管のエージングのためのＸ線条件がプリセットされた操作パネルで、そのＸ線条件を選択することで、その信号がコリメータ制御回路に送られ、コリメータの絞りを自動的に閉じるので、操作者はコリメータを閉じるためにＸ線検査室に立ち入る必要はなく、安全にエージング作業をすることができる。
【先行技術文献】
【特許文献】
【０００８】
【特許文献１】特開２０００−３０８９０号公報
【発明の開示】
【発明が解決しようとする課題】
【０００９】
上述した特許文献１に記載されたＸ線高電圧装置においては、エージング時に自動的にコリメータの絞りを閉じることができることから、エージング時にＸ線検出器に入射するＸ線量を小さなものとすることができる。しかしながら、コリメータを通過してＸ線検出器に至るＸ線を皆無にすることは困難であることから、Ｘ線検出器の感度低下を生ずることに変わりはない。
【００１０】
この発明は上記課題を解決するためになされたものであり、エージング時にＸ線管から照射されたＸ線がＸ線検出器に入射することを確実に防止して、Ｘ線検出器の感度低下を生じさせることがないＸ線透視撮影台を提供することを目的とする。
【課題を解決するための手段】
【００１１】
請求項１に記載の発明は、天板と、前記天板の前面に配置された被検者に対してＸ線を照射するＸ線管と、前記Ｘ線管から照射され前記被検者を通過したＸ線を検出するＸ線検出器とを備えたＸ線透視撮影台であって、前記Ｘ線管を前記天板の表面に沿って移動させるＸ線管移動機構と、前記Ｘ線検出器を前記天板の表面に沿って移動させるＸ線検出器移動機構と、前記Ｘ線管に対してエージングを実行する指示を行うための操作部と、前記操作部に対してエージングを実行する指示がなされたときに、前記Ｘ線管移動機構または前記Ｘ線検出器移動機構の駆動で前記Ｘ線管または前記Ｘ線検出器の少なくとも一方を移動させることにより、前記Ｘ線管と前記Ｘ線検出器とを互いに対向しない位置に配置させる制御部と、を備えたことを特徴とする。
【００１２】
請求項２に記載の発明は、請求項１に記載の発明において、前記操作部に対してエージングを実行する指示がなされたときに、前記Ｘ線管または前記Ｘ線検出器のうち、前記天板の下方に配置されたものを移動させる。
【発明の効果】
【００１３】
請求項１に記載の発明によれば、エージングを実行する指示がなされたときに、Ｘ線管またはＸ線検出器の少なくとも一方を移動させるてＸ線管とＸ線検出器とを互いに対向しない位置に配置させることから、エージング時にＸ線管から照射されたＸ線がＸ線検出器に入射することがなく、Ｘ線検出器の感度低下を生じさせることを確実に防止することが可能となる。
【００１４】
請求項２に記載の発明によれば、Ｘ線管またはＸ線検出器のうち天板の下方に配置されたものを移動させることから、Ｘ線管またはＸ線検出器とオペレータとの衝突の可能性を低減させ、安全にエージングを実行することが可能となる。
【図面の簡単な説明】
【００１５】
【図１】この発明に係る透視撮影台の正面概要図である。
【図２】この発明に係る透視撮影台の正面概要図である。
【図３】この発明に係る透視撮影台の側面概要図である。
【図４】この発明に係るＸ線透視台の制御系を示すブロック図である。
【発明を実施するための形態】
【００１６】
以下、この発明の実施の形態を図面に基づいて説明する。図１および図２は、この発明に係る透視撮影台の正面概要図である。なお、図１は、被検者Ｍに対してＸ線撮影またはＸ線透視を実行する状態を示しており、図２は、エージングを実行する状態を示している。また、図３は、この発明に係る透視撮影台の側面概要図である。
【００１７】
このＸ線透視台は、被検者Ｍを載置するための天板１１と、この天板１１上の被検者Ｍに対してＸ線を照射するＸ線管１２と、Ｘ線管１２から照射されたＸ線の照射野を規制するためのコリメータ１３と、Ｘ線管１２から照射され被検者Ｍを通過したＸ線を検出するイメージインテンシファイア（Ｉ．Ｉ．）やフラットパネルディテクタ等のＸ線検出器１４とを備える。Ｘ線管１２とコリメータ１３とは、本体１５に連結する支柱１６により支持されている。また、天板１１も、図示しない連結機構により、本体１５と連結されている。
【００１８】
支柱１６は、一対のリニアガイド２１により、本体１５に対して水平方向に移動可能に構成されている。そして、支柱１６には、モータ２３が配設されている。このモータ２３の回転軸に配設されたピニオン２７は、本体１５に対して水平方向（天板１１の表面と平行な方向）に延設されたラック２２と噛合している。このため、支柱１６は、モータ２３の駆動により、天板１１の表面に沿って往復移動する。この支柱１６の移動に伴って、Ｘ線管１２およびコリメータ１３も、天板１１の表面に沿って往復移動する。
【００１９】
Ｘ線検出器１４は、支持部材１８の下面に支持されている。この支持部材１８は、一対のリニアガイド２４により、本体１５に対して水平方向に移動可能に構成されている。そして、支持部材１８には、モータ２６が配設されている。このモータ２６の回転軸に配設されたピニオン２８は、本体１５に対して水平方向（天板１１の表面と平行な方向）に延設されたラック２５と噛合している。このため、支持部材１８は、モータ２６の駆動により、天板１１の表面に沿って往復移動する。この支持部材１８の移動に伴って、Ｘ線検出器１４も、天板１１の表面に沿って往復移動する。
【００２０】
なお、本体１５は、脚部１７に対して回動可能に配設されている。このため、天板１１は、図１から図３に示すように、その表面が床面２０と平行となって水平方向を向く臥位撮影姿勢と、天板１１の表面が床面２０と垂直となって鉛直方向を向く立位撮影姿勢とをとることもできる。
【００２１】
図４は、この発明に係るＸ線透視台の制御系を示すブロック図である。
【００２２】
この発明に係るＸ線透視台は、装置の制御に必要な動作プログラムが格納されたＲＯＭ、制御時にデータ等が一時的にストアされるＲＡＭおよび論理演算を実行するＣＰＵを備えた制御部３０を有する。この制御部３０は、後述するＸ線管１２に対するエージングを実行するためのエージング制御部３８を備える。このエージング制御部３８は、オペレータからの指示に従って、Ｘ線管１２に付与する管電圧等をコントロールしてエージングを実行する。
【００２３】
また、この制御部３０は、上述したＸ線管１２、コリメータ１３およびＸ線検出器１４と接続されている。また、この制御部３０は、上述した支柱１６を天板１１の表面に沿って移動させるためのモータ２３と、支持部材１８を天板１１の表面に沿って移動させるためのモータ２６と接続されている。
【００２４】
さらに、制御部３０は、Ｘ線管１２を支持する支柱１６の天板１１の表面と平行な方向の位置を検出するための、エンコーダやポテンショメータからなる位置検出器３１と接続されている。同様に、制御部３０は、Ｘ線検出器１４を支持する支持部材１８の天板１１の表面と平行な方向の位置を検出するための、エンコーダやポテンショメータからなる位置検出器３２と接続されている。また、制御部３０は、キーボードやマウスあるいはタッチパネル式の入力装置から構成され、各種の操作を実行する操作部３９とも接続されている。この操作部３９は、後述するように、Ｘ線管１２に対してエージングを実行する指示を行うための操作部として機能する。
【００２５】
以上のような構成を有するＸ線透視台において、Ｘ線撮影またはＸ線透視を実行するときには、制御部３０の制御によりモータ２３およびモータ２６が駆動され、支柱１６と支持部材１８とが天板１１に沿って移動し、図１に示すように、Ｘ線管１２とＸ線検出器１４とが互いに対向配置される。この状態において、Ｘ線管１２から被検者ＭにＸ線が照射されるとともに、被検者Ｍを通過したＸ線がＸ線検出器１４により検出される。
【００２６】
一方、一日の作業を開始する始業時や、一定期間Ｘ線透視撮影台を使用しなかった場合には、エージングが実行される。この場合には、オペレータが操作部３９を操作することにより、制御部３０に対してエージングの指示を行う。このときには、制御部３０の制御によりモータ２６が駆動され、図２に示すように、Ｘ線検出器１４が支持部材１８とともに側方へ退避する。これにより、Ｘ線管１２とＸ線検出器１４とが、互いに対向しない位置に配置される。この状態において、エージング制御部３８によりＸ線管１２に対するエージングが実行される。
【００２７】
このときには、Ｘ線管１２とＸ線検出器１４とが、互いに対向しない状態となっていることから、Ｘ線管１２から照射されたＸ線がＸ線検出器１４に入射することはない。従って、Ｘ線検出器１４の感度低下が生ずることを確実に防止することが可能となる。
【００２８】
なお、上述した実施形態においては、Ｘ線管１２とＸ線検出器１４とが互いに対向しない状態とするために、Ｘ線検出器１４を支持部材１８とともに移動させているが、Ｘ線管１２をコリメータ１３や支柱１６とともに移動させてもよい。また、Ｘ線管１２とＸ線検出器１４の両方を移動させることにより、Ｘ線管１２とＸ線検出器１４とが互いに対向しない状態としてもよい。
【００２９】
但し、図１から図３に示すように、天板１１の表面が水平方向を向いて配置された状態においては、Ｘ線管１２またはＸ線検出器１４のうち、天板１１の下方に配置されたものを移動させる方が、Ｘ線管１２またはＸ線検出器１４とオペレータとの衝突の可能性を低減させ、安全にエージングを実行することが可能となる。上述した実施形態においては、Ｘ線検出器１４が天板１１の下方に配置されていることから、Ｘ線検出器１４を移動させる構成としている。しかしながら、Ｘ線管１２が天板１１の下方に配置される構成を有するＸ線透視撮影台においては、Ｘ線管１２を移動させることにより、Ｘ線管１２とＸ線検出器１４とを互いに対向しない状態とすればよい。
【符号の説明】
【００３０】
１１    天板
１２    Ｘ線管
１３    コリメータ
１４    Ｘ線検出器
１５    本体
１６    支柱
１８    支持部材
２１    リニアガイド
２２    ラック
２３    モータ
２４    リニアガイド
２５    ラック
２６    モータ
２７    ピニオン
２８    ピニオン
３０    制御部
３１    位置検出器
３２    位置検出器
３８    エージング制御部
３９    操作部
Ｍ      被検者
【図１】
2015150054.tif 000003
【図２】
2015150054.tif 000004
【図３】
2015150054.tif 000005
【図４】
2015150054.tif 000006